(57)【特許請求の範囲】
【請求項１】
像担持体と、
前記像担持体との間でシート状記録材を挟持して搬送し、転写バイアスにより前記像担持体上のトナー像を前記シート状記録材に転写する転写部材と、
該転写部材の軸方向の端部に設けられた導電性の給電コロと、
前記転写部材が前記像担持体へ向かうように前記給電コロを案内し、該給電コロが嵌り込む半円筒状の位置決め部を有する案内部材と、
前記給電コロが前記案内部材の前記位置決め部に嵌り込んで前記転写部材が前記像担持体に対して位置決めされたときに、前記給電コロの端面に突き当たって該給電コロと電気的に接続され、前記転写部材へ前記転写バイアスを供給する金属片の導電材からなる給電端子と、
を備えた電子写真方式の画像形成装置。
【請求項２】
前記半円筒状の位置決め部の内径は、前記給電コロの外径より大きいことを特徴とする請求項１に記載の電子写真方式の画像形成装置。
【請求項３】
前記給電端子は板バネであることを特徴とする請求項１又は２に記載の電子写真方式の画像形成装置。
【請求項４】
前記板バネである給電端子は、自由端側が前記給電コロ側へ突き出ていることを特徴とする請求項３に記載の電子写真方式の画像形成装置。
【請求項５】
前記給電コロは、前記転写部材の回転軸に相対回転可能に取り付けられていることを特徴とする請求項１乃至４のいずれか一項に記載の電子写真方式の画像形成装置。
【請求項６】
前記給電コロはすべり軸受けであることを特徴とする請求項５に記載の電子写真方式の画像形成装置。
【請求項７】
前記給電コロは、内周面に形成した突起が前記転写部材の回転軸に形成された溝部に挿入され、該回転軸にスナップフィット形式で装着されていることを特徴とする請求項５又は６に記載の電子写真方式の画像形成装置。
【請求項８】
前記給電端子が、絶縁材の側板に取り付けられ、
前記案内部材は、前記給電端子の周囲に設けられ、前記側板から前記転写部材の軸方向へ立ち上がる絶縁性のリブであることを特徴とする請求項１乃至７のいずれか一項に記載の電子写真方式の画像形成装置。
【請求項９】
前記転写部材の回転軸上に設けられ、駆動ギアと噛み合って前記転写部材を所定方向に回転させる被動ギアを備え、
該被動ギアが前記駆動ギアによって回転されるのに伴って前記給電コロが前記給電端子側へ押圧されることを特徴とする請求項１乃至８のいずれか一項に記載の電子写真方式の画像形成装置。
【請求項１０】
前記転写部材の軸方向の端部付近に取り付けられ、前記像担持体の表面の非画像領域部に接触する突き当てコロを有することを特徴とする請求項１乃至９のいずれか一項に記載の電子写真方式の画像形成装置。
【請求項１１】
前記給電コロは、前記転写部材の軸方向の一端部に設けられ、
前記転写部材の軸方向の他端部には位置決めコロが設けられ、
該位置決めコロは、該位置決めコロに対して設けられた案内部材によって案内されることを特徴とする請求項１乃至１０のいずれか一項に記載の電子写真方式の画像形成装置。
【請求項１２】
前記像担持体は感光体ドラムであり、前記転写部材は転写ローラであることを特徴とする請求項１乃至１１のいずれか一項に記載の電子写真方式の画像形成装置。
【請求項１３】
前記案内部材は、前記転写部材が前記像担持体へ向かうように前記給電コロをガイドするガイド溝を形成していることを特徴とする請求項１乃至１０のいずれか一項に記載の電子写真方式の画像形成装置。
【発明の詳細な説明】
【技術分野】
【０００１】
この発明は電子写真方式の画像形成装置に関する。
【背景技術】
【０００２】
電子写真方式の画像形成装置に用いられる転写ローラ等の転写部材は、感光体等の像担持体に対する位置と転写性能との関係が強い。そこで、転写部材の一部を像担持体ユニットの一部に保持させ、転写部材と像担持体との位置関係を精度良く決める方法が知られている。
【０００３】
例えば、特許文献１に記載された画像形成装置では、像担持体である中間転写ベルトを備えた装置本体又は中間転写ベルトユニットの一対の側板に、それぞれ位置決め板を固定している。その各位置決め板の２個ずつの基準穴で、中間転写ベルトを掛け渡す駆動ローラと入口ローラとをそれぞれ保持し、ガイド形状部分で２次転写ローラを規制保持して、それを付勢部材で中間転写ベルトに押し当てている。
【発明の概要】
【発明が解決しようとする課題】
【０００４】
このような従来の電子写真方式の画像形成装置では、像担持体を備えた装置本体又は中間転写ベルトユニット側に、転写ローラ等の転写部材を案内するための保持機構を設けると共に、転写バイアスを転写部材に確実に供給するための給電機構が必要であった。
しかし、画像形成装置を極力小型化することが望まれており、装置内にそれらを設けるための十分なスペースを確保することが困難になるという問題があった。
【０００５】
この発明は、上記の問題を解決するためになされたものであり、転写部材の像担持体への案内と転写部材への転写バイアスの供給とを、あまりスペースを取らない簡単な構成で確実に行なえるようにすることを目的とする。
【課題を解決するための手段】
【０００６】
この発明による電子写真方式の画像形成装置は、上記の目的を達成するため、像担持体と、その像担持体との間でシート状記録材を挟持して搬送し、転写バイアスにより像担持体上のトナー像を上記シート状記録材に転写する転写部材と、その転写部材の軸方向の端部に設けられた導電性の給電コロと、上記転写部材が上記像担持体へ向かうように上記給電コロを案内し、該給電コロが嵌り込む半円筒状の位置決め部を有する案内部材と、上記給電コロが上記案内部材の上記位置決め部に嵌り込んで上記転写部材が上記像担持体に対して位置決めされたときに、上記給電コロの端面に突き当たって該給電コロと電気的に接続され、上記転写部材へ上記転写バイアスを供給する金属片の導電材からなる給電端子とを備えたことを特徴とする。
【発明の効果】
【０００７】
この発明による電子写真方式の画像形成装置は、転写部材の像担持体への案内と転写部材への転写バイアスの供給とを、あまりスペースを取らない簡単な構成で確実に行なうことができる。
【図面の簡単な説明】
【０００８】
【図１】この発明による画像形成装置の一実施形態の全体構成を示す概略断面図である。
【図２】図１に示した転写ローラと除電針及び入口ガイド板を保持部材で一体的に保持してユニット化した状態を示す正面図である。
【図３】図２に示したユニットを開閉カバーに取り付けた状態を示す正面図である。
【図４】感光体ドラムと転写ローラの位置決めコロ側端部の装着状態を示す斜視図である。
【図５】図４における転写ローラの突き当てコロの部位で転写ローラと感光体ドラムを横断面にして転写位置決め板及び感光体保持板の内側面と共に示す図である。
【図６】転写ローラの給電コロ側端部の装着状態を示す斜視図である。
【図７】転写ローラの給電コロ側端部と転写位置決め板及び給電端子の要部縦断面図である。
【発明を実施するための形態】
【０００９】
以下、この発明を実施するための形態を図面に基づいて具体的に説明する。
図１は、この発明による画像形成装置の一実施形態の全体構成を示す概略断面図である。
この画像形成装置１は、電子写真方式のモノクロ印刷用レーザプリンタである。しかし、画像読取装置（イメージスキャナ）、あるいはさらに自動原稿給送装置（ＡＤＦ）を追加すれば複写装置にもなり、ＦＡＸ通信装置を追加すればファクシミリ機能を持たすこともできる。
【００１０】
この画像形成装置１の筐体１０内には、作像部２が設けられている。その作像部２は、ドラム状の感光体である感光体ドラム３と、その周囲に設けられた帯電ローラ４、露光ユニット５、現像ユニット６、転写ローラ７、除電針８、およびクリーニングユニット９等によって構成されている。
【００１１】
感光体ドラム３は像担持体であり、円筒状の導電性基材の表面に感光体層が形成されており、画像形成時には矢示Ａ方向に回転される。
帯電ローラ４は、感光体ドラム３と平行に配置され、その表面に接触して回転する導電性のローラであり、負電源Ｅ１によって負の帯電電圧が印加され、矢示Ａ方向に回転する感光体ドラムの表面を一様な負電位に帯電させる。この帯電ローラ４に代えてスコロトロン等のコロナ帯電器を用いてもよい。
【００１２】
露光ユニット５は、レーザ書込装置あるいは光走査装置とも称され、レーザ光源が発光するレーザ光（画像データに応じて変調される）をポリゴンミラーで走査し、ｆθレンズを通して感光体ドラム３の外周面に向けて射出する（図１に破線矢印で示す）。そして、感光体ドラム３の軸線方向（図１の紙面に垂直な方向）である主走査方向に走査して、帯電された感光体ドラム３の表面を露光し、画像データに応じた静電潜像を形成する。
この露光ユニット５に代えて、多数の発光ダイオード（ＬＥＤ）を主走査方向に沿って１ライン分配列して設けた、ＬＥＤアレイを用いた露光ユニットを使用してもよい。
【００１３】
現像ユニット６は、容器内に現像剤であるトナー、あるいはトナーとキャリアを収容し、それを現像ローラ６ａの表面に付着させて感光体ドラム３の外周面へ搬送し、静電潜像を現像化してトナー像にする。モノクロ画像を形成するためのトナーには、一般に黒色トナーが使用されるが、赤色トナーや青色トナー等のカラートナーを使用することもできる。
転写ローラ７は転写部材であり、正電源Ｅ２によって転写バイアス（正電圧）が印加され、その外周面が常時は感光体ドラム３の外周面に接触して転写ニップを形成し、矢示Ｂ方向に回転する。シート状記録材（以下単に「シート」と称す）がその転写ニップに搬送されて来ると、転写ローラ７が感光体ドラム３との間でそのシートを挟持して搬送し、転写バイアスにより感光体ドラム３上のトナー像をそのシート上に転写する。
【００１４】
除電針８は、負電源Ｅ３によって除電バイアス（負電圧）が印加され、トナー像が転写されたシートに対して負電荷を放電して、そのシートを感光体ドラム３の表面から分離させる。
クリーニングユニット９は、トナー像をシートに転写した後、感光体ドラム３の表面に残留しているトナーをブレードで除去して回収する。
転写ローラ７に対してシートの入り口側には、シートの搬送をガイドする入口ガイド板１５が配置されている。
作像部２の上方には定着器１６及び排紙ローラ対１７が設けられている。
【００１５】
作像部２の下方には、給紙カセット１１が筐体１０から引き出し可能に装着されている。その給紙カセット１１内の底部には、支軸１１ｂに対して回動可能な底板１１ａが設けられ、スプリング１１ｃによって傾き角度を大きくするように押圧されている。
その底板１１ａ上に積載されたシートＳの先端部側が押し上げられ、最上位のシートＳが給紙ローラ１２に当接している。そして、画像形成時には給紙ローラ１２の矢示Ｃ方向の回転によって、そのシートＳが位置決めローラ対１３に向けて送出される。
これらの各部はコントローラ２０によって制御され、感光体ドラム３等の各回転体は、メインモータ２１の回転動力が、ベルト・プーリ等の動力伝達機構とクラッチなどを介して伝達されて回転する。
【００１６】
この画像形成装置による一連の画像形成動作について説明する。
画像形成動作を開始すると感光体ドラム３が矢示Ａ方向に回転される。また、給紙ローラ１２が矢示Ｃ方向に回転して、給紙カセット１１内の最上位のシートを送り出し、そのシートＳの先端部が位置決めローラ対１３に突き当ってくわえ込まれた状態で、シートＳの搬送を一旦停止して待機する。
【００１７】
一方、矢示Ａ方向に回転する感光体ドラム３に外周面が帯電ローラ４によって均一に帯電され、露光ユニット５によるレーザ光で露光走査され、画像に応じた静電潜像が形成される。そして、現像ユニット６の現像ローラ６ａによってその静電潜像にトナーが付着されて現像され、感光体ドラム３の表面（外周面）にトナー像が形成される。
そのトナー像の先端と、シートＳの画像形成領域の先端とが、感光体ドラム３と転写ローラ７とが接触する転写ニップの位置で一致するタイミングで、位置決めローラ対１３が回転してシートＳを入口ガイド板１５に沿って転写ニップへ搬送する。
【００１８】
そのシートＳが、転写ニップで感光体ドラム３と転写ローラ７に挟持されて搬送される際に、感光体ドラム３上のトナー像が転写バイアスによって転写される。
トナー像が転写されたシートＳが転写ニップを通過すると、除電針８によって負電荷が放電されて除電され、感光体ドラム３の表面から分離されて定着器１６へ搬送される。
定着器１６では、トナー像が転写されたシートＳが、定着ローラ１６ａと加圧ローラ１６ｂによる定着ニップを通過する際に、その熱と圧力とによってトナー像が定着される。
定着器１６を出た画像形成済みシートＳ′は、排紙ローラ対１７によって、筐体１０の上部に形成された排紙トレイ部１８上に排出される。
【００１９】
次に、この画像形成装置１における転写ローラ７と除電針８及び入口ガイド板１５の支持構造について、図２〜図７によって説明する。
図２は、図１に示した転写ローラ７と除電針８及び入口ガイド板１５を保持部材で一体的に保持してユニット化した状態を示す正面図である。図３は、図２に示したユニットを開閉カバーに取り付けた状態を示す正面図である。
【００２０】
転写部材である転写ローラ７は、図１に示した感光体ドラム３の軸方向の画像形成領域以上の長さのローラ部７１と回転軸７２とを備えている。ローラ部７１は、金属による導電性の回転軸７２（芯金の役目も果す）の外周に、導電性ゴム又はスポンジ等の導電性弾性体によって一体に形成されている。
回転軸７２はローラ部７１の両端から突出しており、図２で右端側の突出部には、突き当てコロ７３と被動ギア７５及び位置決めコロ７６を設け、左端側の突出部には突き当てコロ７４と給電コロ７７を設けている。位置決めコロ７６と給電コロ７７は、それぞれ回転軸７２の両端部に、回転軸７２に対して相対回転可能に取り付けられている。
【００２１】
突き当てコロ７３，７４は感光体ドラム３の外周面に突き当たることによって、転写ローラ７と感光体ドラム３との距離（感光体ドラム３へのローラ部７１の食い込み量）を決めることができる。
位置決めコロ７６と給電コロ７７は、いずれも後述する案内部材によって感光体ドラム３へ向かうように案内される被案内部材であり、回転軸７２の両端における案内部材との摺動性を等しくするため、同じ金属等の導電性材料で同じ形状のコロにしている。
【００２２】
被動ギア７５は回転軸７２に固設された斜歯（ハスバ）歯車であり、外周に斜歯が切ってある。この被動ギア７５が、感光体ドラム３に固設された後述する駆動ギア（同じピッチの斜歯が切ってある斜歯歯車）と噛み合って駆動力が伝達され、感光体ドラムの回転に伴って回転される。それによって、転写ローラ７が感光体ドラム３と逆周りに回転される。
その際、被動ギア７５が後述する駆動ギアの回転によって、転写ローラ７を図２で左方へ押す力を受けるように、各ギアの斜歯が形成されている。それによって、給電コロ７７と後述する給電端子とをより安定して接触させることができる。
【００２３】
この転写ローラ７と、それと略同等の長さを有する除電針８及び入口ガイド板１５とは、樹脂製の保持部材１９によって一体的に保持されてユニット化され、転写ユニット２５を構成している。
保持部材１９の左右の側板部１９ａ，１９ｂには、それぞれ外向きに円筒状の受け部１９ｃ，１９ｄが形成されており、そこに転写ローラ７の回転軸７２の両端部付近を貫通させて転写ローラ７を保持している。その左右の側板部１９ａ，１９ｂは、除電針８及び入口ガイド板１５の両端部も取り付けて、その間に除電針８と入口ガイド板１５を保持している。側板部１９ａ，１９ｂの上端部には、それぞれ外側に逆Ｕ字状に曲った取付部１９ｅ，１９ｆが形成されている。
【００２４】
そして、この転写ユニット２５を、図１に示した画像形成装置１の筐体１０の右側に開閉可能に設けた開閉カバー２３に、図３に示すように取り付ける。保持部材１９の取付部１９ｅ，１９ｆが開閉カバー２３の支持部２３ａ，２３ｂに嵌合される。
これによって、開閉カバー２３は、転写ローラ７、入口ガイド板１５及び除電針８を支持し、これらの部材を画像形成装置１の筐体１０に対して開閉する。筐体１０内に図１に示した感光体ドラム３が設けられている。
【００２５】
開閉カバー２３には、加圧スプリング２６と加圧アーム２７とを備える。加圧スプリング２６は、図３において紙面の奥方向に加圧アーム２７を付勢する。加圧アーム２７は、図３において上下方向の中央部分の支点２８を中心に回転可能であり、加圧スプリング２６の付勢力を、転写ローラ７を保持する保持部材１９の受け部１９ｃ，１９ｄへ伝える。
したがって、転写ローラ７は加圧スプリング２６と加圧アーム２７によって紙面手前方向（感光体ドラム３の方向）へ付勢される。
【００２６】
図４は、感光体ドラム３と転写ローラ７の位置決めコロ７６側端部の装着状態を示す斜視図である。図５は、図４における転写ローラ７の突き当てコロ７３の部位で転写ローラ７と感光体ドラム３を横断面にして、後述する転写位置決め板及び感光体保持板の内側面と共に示す図である。
図６は、転写ローラ７の給電コロ７７側端部の装着状態を示す斜視図であり、図７は、その転写ローラ７の給電コロ７７側端部と、後述する転写位置決め板及び給電端子の要部縦断面図である。
【００２７】
これらの図において、図２及び図３に示した保持部材１９と図３に示した開閉カバー２３は、図示を省略している。
感光体ドラム３の軸方向の両端部に対応して図４に示す感光体位置決め板３０が、図１に示した画像形成装置１の筐体１０を構成する図示していない両側板に取り付けられて設けられている。感光体ドラム３は、その回転軸３２が一対の感光体位置決め板３０によって回転可能に位置決め支持されている。感光体位置決め板３０は、その内側の面に多数のリブが形成されて、強度が高められている。
【００２８】
転写ローラ７の軸方向の両端部に対応する一対の転写位置決め板４０も、筐体１０を構成する図示していない両側板に取り付けられて設けられており、それらは、図４に示すように各感光体位置決め板３０とも一体的に位置決め固定される。
各転写位置決め板４０は転写位置決め部材であり、その対向する内側の面に、それぞれ被案内部材である図４に示す位置決めコロ７６と図６に示す給電コロ７７を、転写ローラ７が感光体ドラム３へ向かうように案内する案内部材４２を形成している。
【００２９】
案内部材４２は図６に示すように、Ｕ字状に曲がった中央部が位置決めコロ７６及び給電コロ７７の外径より僅かに大きい内径の半円筒状の位置決め部４２ａになっている。そして、その位置決め部４２ａの下端から接線方向に延びた下案内部４２ｂと、上端から放射方向に延びた上案内部４２ｃとを有し、位置決めコロ７６又は給電コロ７７を案内するガイド溝を形成している。
各転写位置決め板４０は、それぞれ案内部材４２の案内方向に延びる絶縁性の側板４１を備えており、各案内部材４２は、その各側板４１から転写ローラ７の軸方向に立ち上がる絶縁性のリブである。
【００３０】
転写ローラ７の回転軸の両端に装着された位置決めコロ７６と給電コロ７７が、それぞれ案内部材４２に案内されて位置決め部４２ａ内に嵌り込むと、転写ローラ７が感光体ドラム３に対して図４に示すように位置決め保持される。それによって、転写ローラ７の感光体ドラム３に対する位置及び感光体ドラム３方向への角度が決まる。
その状態で、転写ローラ７の被動ギア７５が感光体ドラム３の外周に固設された駆動ギア３５と噛み合い、感光体ドラムが回転すると転写ローラ７が感光体ドラム３と逆周りに回転する。
【００３１】
また、転写ローラ７のローラ部７１の両端部の軸方向外側に設けられた一対の突き当てコロ７３，７４が、図４及び図５に示すように感光体ドラム３の両端部付近の非画像領域部に突き当たる。そして、図３に示した加圧スプリング２６の弾撥力で、感光体ドラム３の外周面を押圧する。それによって、転写ローラ７と感光体ドラム３との軸間距離、および感光体ドラム３の外周面が転写ローラ７のローラ部７１へ食込む量が決まる。
【００３２】
図６及び図７に示す給電コロ７７を案内する案内部材４２を形成した絶縁材からなる側板４１の内側の面には、金属片等の導電材からなる給電端子５０が取り付けられている。この給電端子５０が、転写位置決め板４０側から給電コロ７７の端面７７ａに突き当って、転写ローラ７が位置決めされた状態で給電端子５０と電気的に接続され、図示しない電源から転写ローラ７へ転写バイアスが供給される。
この実施形態では、給電端子５０は板バネによる給電板である。そして、その基部５０ａが側板４１にクリップ５１（図６）で固定され、自由端である先端部５０ｂ側が案内部材４２のガイド溝内に入り込み、感光体ドラム３へ近づくに連れて転写ローラ７側（転写部材側）へ突き出すように立ち上っている。
【００３３】
給電コロ７７は、転写ローラ７を感光体ドラム３に対して位置決めするための位置決め部材として機能するとともに、給電端子５０から転写バイアスが供給される給電部材としても機能する。
このように、案内部材４２のガイド溝によって案内される給電コロ７７を転写バイアスの給電部材として共用することによって、省スペースで転写ローラの案内と給電とができる。図７に示す状態では、板バネによる給電端子５０の先端部５０ｂ側は同図で右方は弾性変形しており、その変形分だけ給電コロ７７を左方へ付勢することになる。それによって、給電コロ７７と給電端子５０が安定して接触する。
【００３４】
図３に示した開閉カバー２３を開けた状態から閉じた状態にするとき、転写ローラ７は図７において上方へ移動する。給電コロ７７が給電端子５０の基部の横を移動するときには、まだ給電端子５０に接触しない。給電コロ７７が給電端子５０の先端部５０ｂの横まできたとき、端面７７ａがその先端部５０ｂと接触してそれを右方へ弾性変形させ、給電コロ７７と給電端子５０との接続が完了する。
給電コロ７７が給電端子５０の基部５０ａの横を移動するときは、まだ給電端子５０から力を受けないため容易に移動させられる。すなわち、給電端子５０の基部５０ａと給電コロ７７との間に隙間があるので、給電コロ７７をセット位置（案内部材４２の位置決め部４２ａに保持される位置）まで移動させ易い。
【００３５】
この実施形態における給電コロ７７及び位置決めコロ７６はすべり軸受である。そのため、転がり軸受などを用いるのに比べて安価で簡易な構成にできる。
給電コロ７７は、図７に示すように内周面に形成した突起７７ｂを、転写ローラ７の回転軸７２に形成された溝部７２ａに挿入することによって、スナップフィット形式で回転軸７２に装着される。そして、給電コロ７７は、回転軸７２に対して相対回転（空転）する。したがって、給電端子５０と給電コロ７７との間の摩擦により給電コロ７７の回転負荷が増加しても、回転軸７２の回転を妨げることはなく、回転軸７２をスムーズに回転させることができる。
【００３６】
回転軸７２の溝部７２ａの軸線方向（図７で左右方向）の幅は、給電コロ７７の突起７７ｂの幅よりも大きい。すなわち、給電コロ７７は、回転軸７２に対して軸線方向へガタｄを有する。これらの構造は位置決めコロ７６側も同じである。
図３に示した移動可能な開閉カバー２３を閉じて、転写ローラ７と共に給電コロ７７を移動させて、案内部材４２のガイド溝に挿入するとき、ガイド溝よりも手前の位置（図６において右側）で側板４１と給電コロ７７とが接触することがある。
【００３７】
しかし、図７に示したように、給電コロ７７は転写ローラ７の回転軸７２に対して、その軸線方向（図中左右方向）に所定量のガタ（あそび）ｄを有して支持されているため、問題は生じない。すなわち、給電コロ７７が側板４１と接触したときにガタの分だけ逃げることができるため、衝撃により破損したり、側板４１が邪魔になって給電コロ７７がガイド溝内へスムーズに移動できなくなるといった不具合を防止できる。
【００３８】
図６及び図７に示す位置決め状態では、前述したように板バネによる給電端子５０の先端部５０ｂが、給電コロ７７の端面７７ａを図７で左方へ付勢する。さらに、感光体ドラム３の回転によって、その駆動ギア３５が転写ローラ７の被動ギア７５を回転させるのに伴って、転写ローラ７を給電端子５０側（給電端子側）へ押し付ける力が発生する。したがって、給電コロ７７が給電端子５０に押圧されて安定して接触し、転写バイアスが転写ローラ７に確実に供給される。
【００３９】
案内部材４２は、絶縁材からなる側板４１に一体に形成された絶縁性のリブである。そのリブは、転写ローラ７の軸方向へ立ち上がるように形成されている。これにより、給電端子５０に供給された転写バイアスが案内部材４２の外部へリークするのを防止できる。
その案内部材４２は、図６に示すように給電端子５０の先端部５０ｂ側の周囲を、給電コロ７７が挿入される側（図６で右側）の部分を除いて囲むように形成するのが好ましい。それによって、より確実にリークを防止できる。
この実施形態では、側板４１上に案内部材４２のリブを一体に形成しているが、側板と案内部材を別部材としてもよい。
【００４０】
以上は、この発明を電子写真方式のモノクロ画像形成装置に適用した実施形態について説明した。その像担持体である感光体は、感光体ドラムに代えて感光体ベルトであってもよい。その画像形成装置は、プリンタ（印刷装置）に限らず、複写装置やファクシミリ装置、それらの複数の機能を有する複合機などでもよい。
この発明はまた、電子写真方式の画像形成装置であれば、直接転写方式又は中間転写方式のカラー画像形成装置にも適用できる。直接転写方式のカラー画像形成装置の場合は、像担持体は、イエロー、シアン、マゼンタ、ブラック等の各色の作像部における感光体であり、転写部材は各色の作像部における転写ローラである。
【００４１】
中間転写方式のカラー画像形成装置の場合は、像担持体には、各色の作像部における感光体に加えて、中間転写ベルト又は中間転写ドラム等の中間転写体も含まれる。転写部材には、各色の作像部における一次転写ローラに加えて、中間転写体上のカラートナー像をシート上に転写させるための二次転写ローラも含まれる。
【００４２】
また、前述した実施形態の各部の具体的な構成等は、そこに記載したものに限るものではない。この発明は前述した実施形態に限定されるものではなく、特許請求の範囲の各請求項ごとに記載した技術的特徴を有する以外は、何ら限定されるものではないことは言うまでもない。
さらに、以上説明してきた実施形態の構成例、動作例及び変形例等は、適宜変更又は追加したり一部を削除してもよく、相互に矛盾しない限り任意に組み合わせて実施することも可能であることは勿論である。
【符号の説明】
【００４３】
１：画像形成装置    ２：作像部    ３：感光体ドラム（像担持体）
４：帯電ローラ    ５：露光ユニット    ６：現像ユニット    
７：転写ローラ（転写部材）    ８：除電針    ９：クリーニングユニット
１０：筐体    １１：給紙カセット    １２：給紙ローラ    １３：位置決めローラ対
１５：入口ガイド板    １６：定着器    １７：排紙ローラ対    
１８：排紙トレイ部    １９：保持部材    １９ａ，１９ｂ：側板部    
１９ｃ，１９ｄ：受け部    １９ｅ，１９ｆ：取付部    ２０：コントローラ    
２１：メインモータ    ２３：開閉カバー    ２３ａ，２３ｂ：支持部    
２５：転写ユニット    ２６：加圧スプリング    ２７：加圧アーム    ２８：支点
３０：感光体位置決め板    ３２：感光体ドラムの回転軸    ３５：駆動ギア
４０：転写位置決め板    ４１：側板    ４２：案内部材
５０：給電端子    ５０a：基部    ５０ｂ：先端部    ５１：クリップ
７１：転写ローラのローラ部    ７２：転写ローラの回転軸    ７２a：溝部 
７３，７４：突き当てコロ    ７５：被動ギア    ７６：位置決めコロ    
７７：給電コロ    ７７ａ：端面    ７７ｂ：突起
Ｓ：シート状記録材（シート）    Ｓ′：画像形成済みシート
【先行技術文献】
【特許文献】
【００４４】
【特許文献１】特開２００７−３１６２１８号公報
【図１】
0006459242.tif 000002
【図２】
0006459242.tif 000003
【図３】
0006459242.tif 000004
【図４】
0006459242.tif 000005
【図５】
0006459242.tif 000006
【図６】
0006459242.tif 000007
【図７】
0006459242.tif 000008